(57)【要約】【課題】展示用ブースの製造組立を容易とし、ブース上方を表示プレートや模型・発光体・アイキャッチャー効果の有る形象物などによる表示空間として利用する。【解決手段】ブース１において、パーティション２の仕切りパネル３上縁に表示パネル、模型などの表示体１を支持固定する。仕切りパネル上縁において、一対のＬ字型ブラケットで挟持し、その上に固定金具を設けて直接、若しくは、支持フレーム又はステ−により表示パネルを収納した表示パネル枠、又は表示模型などを載置した支持台などを支持固定する。表示パネル枠、支持フレーム及びステ−はアルミ押し出し型材からなり、長手方向にスリットを開口した結合凹腔を設けることにより、蝶ボルトなどにより締結固定する構造として、展示ブースの製造組立を容易とする。【選択図】　　　　図１
2004068311.tif 000002
【特許請求の範囲】
【請求項１】
ブース外周を壁面となる仕切りパネルを結合したパーティションから構成すると共に、壁面上方空間に表示パネル、模型・発光体・形象物などからなる表示体を配置してなることを特徴とする、表示体一体構造とした展示用ブース。
【請求項２】
上記ブース壁面上方空間に配置する表示体が、パーティションの仕切りパネル上縁に立設固定された表示パネルであることを特徴とする請求項１記載の展示用ブース。
【請求項３】
上記表示体が、複数の表示パネルからなる多面体から構成されることを特徴とする、請求項１または２記載の展示用ブース。
【請求項４】
上記表示体が、パーティションの仕切りパネル上縁より上方に延長支持された支持台上に載置された模型・発光体などの形象物からなることを特徴とする、請求項１記載の展示用ブース。
【請求項５】
上記表示パネルを含む表示体の構造において、
表示体は表示パネルを枠体に収容した構造からなり、その枠体がアルミ押し出し型材からなるものであって、
その表示裏面側に蝶ボルトなどに対する結合部材を挿通する結合凹腔を設けると共に該凹腔から外方に向けて蝶ボルトなどの締結手段を挿通するスリットを開口してなることを特徴とする、請求項１乃至３記載の展示用ブース。
【請求項６】
上記枠体において、上記結合凹腔及びスリットからなる結合構造を背中合わせに形成してなることにより、枠体同士及び表示体とその支持手段との締結結合を可能としてなることを特徴とする、請求項５記載の展示用ブース。
【請求項７】
ブースのパーティションを構成する仕切りパネル上縁に対する表示体の支持固定構造として、仕切りパネル両面を一対のＬ字型パネルブラケットで挟持してそのＬ字状の他辺でボルト結合してなることを特徴とする、請求項１〜６記載の展示用ブース。
【請求項８】
ブースのパーティションを構成する仕切りパネル上縁に対する表示体の支持固定構造として、上記Ｌ字型パネルブラケットと表示体との間で、アルミ押し出し中空型材からなり、その上又は下或いは上下両方に蝶ボルトなどに対する結合部材を挿通する結合凹腔を設けると共該凹腔から外方に蝶ボルト等の締結手段を挿通するスリットを開口してなる支持フレームを介してなることを特徴とする、請求項５〜７記載の展示用ブース。
【請求項９】
上記支持フレームとＬ字型パネルブラケットとの間に、支持フレームの外径に合わせたサポートを介挿し、両者を上記結合凹腔で蝶ボルト等により結合することによって長さ調節可能としたことを特徴とする、請求項８記載の展示用ブース。
【請求項１０】
ブースのパーティションを構成する仕切りパネル上縁に対する表示体の支持固定構造として、
上記Ｌ字型パネルブラケット上面に植設したスタッドに回動可能に嵌合するブラケットを介してステ−を蝶ボルトなどにより上下角を調節可能に締結固定可能としたことを特徴とする、請求項４記載の展示用ブース。
【請求項１１】
上記ステ−は、アルミ押し出し中空型材からなり、蝶ボルトなどに対する結合部材を挿通する結合凹腔を設けると共に該凹腔から外方に蝶ボルト等の締結手段を挿通するスリットを開口してなり、
ステ−をステ−外径に合わせたステ−サポート部材を介してブラケットに締結結合し、ステ−の長さ調節可能としたことを特徴とする、請求項１０記載の展示用ブース。
【発明の詳細な説明】
【０００１】
【発明が属する技術分野】
本発明は、展示会や博覧会などの会場において、企業別、或いはテーマ別などによりブース或いは区画を設けて展示する場合の展示物や展示テーマなどの表示に関する。
【０００２】
【従来の技術】
展示会などにおいては、通常、会場内を出展者の企業別に割り振られた区画ごとにブースを設けて、その取り扱い物品などを展示することが行なわれている。これらのブースは、他社の区画との境界の区切りであると同時に、通常、一定の高さの壁面を構成するいわゆるパーティションからなり、展示効果を発揮するようにその内外壁面にはスペースを有効に活用するためのラックを設けたり、或いは自社の製品説明や宣伝のための表示スペースとして用いられる。
ところで、このような事情からこれらの展示用ブースは、各ユーザーとしての出展者のニーズに応じて作成されるため、寸法・形状等が様々であり、これらのディスプレイに携わる専門業者がその展示会ごとに注文に応じて、それぞれに工夫を凝らして作成し、現場で組立てて、ブースの体裁を整えると共に展示会が終了すれば解体して処分されるものであった。
従って、これらのブースを構成する壁面や床などの部材は、再度使用されることは少なく、またそのために規格化されて作成されることもないため、ブース製作に当たってはその都度、製作の手間やコストが嵩む事は避けられなかった。
【０００３】
また、これらのブースの利用に当たっては、ブース内のスペースを取り扱い製品などの展示のため有効に活用すると共に、ブースを構成する内外壁面をも表示スペースとして活用することが行なわれている。すなわち、出展者が製造業であれば、企業名のほか、その製造工程の説明図を表示するなどして活用することが図られていた。
しかしながら、これらの表示手法では表示スペースがブースの壁面であるため、パーティションとしての高さの制約やこれらの外壁は観衆の通路壁面でもあるため有効な表示面は視線の及ぶ上部などに限られている。
これに対して、着色したヘリウム風船などに企業名やロゴを表示してブース上方に挙げるなど、種々工夫が試みられているところであるが、これらはアイキャッチャーとしての効果はあるものの表示手段として制約があり、十分な表示機能を有するものとはならなかった。
【０００４】
【発明が解決しようとする課題】
展示用ブースの構造を規格化して製造組立を容易とし、
看板などの表示プレートや模型・発光体・アイキャッチャー効果の有る形象物などの表示体を容易に取り付け表示できると共に、新たな表示空間として従来は利用されなかったブース上方空間を有効な表示スペースとして利用できるブース構造の提供。
【０００５】
【課題を解決するための手段】
ブース外周を壁面となる仕切りパネルを結合したパーティションから構成すると共に、壁面上方空間に表示パネル、模型・発光体などの形象物からなる表示体を配置してなることを特徴とする、表示体一体構造とした展示用ブースである。そして、上記ブース壁面上方空間に配置する表示体が、パーティション上縁に立設固定された表示パネルであり、
同じく上記表示体が、多面体を構成する表示パネルであり、
上記表示体が、パーティション上縁より上方に延長支持された支持台上に載置された模型・発光体などの形象物からなるものである。
また、これらの表示体の構造において、
表示体は表示パネルを枠体に収容した構造からなり、その枠体がアルミ押し出し型材からなるものであって、
その表示裏面側に蝶ボルトに対する結合部材を挿通する結合凹腔を設けると共に該凹腔から外方に向けて蝶ボルトなどの締結手段を挿通するスリットを開口してなり、
さらに上記結合凹腔及びスリットからなる結合構造を背中合わせに形成してなることにより、枠体同士及び表示体とその支持手段との締結結合を可能としたものである。
さらにこれら表示体とブースとの結合構造において、
これらのパーティションを構成する仕切りパネル上縁に対する支持固定構造として、仕切りパネル両面を一対のＬ字型パネルブラケットで挟持してそのＬ字状の他辺でボルト結合してなるものであり、
表示体とパーティションの仕切りパネルとの結合構造として、上記Ｌ字型パネルブラケットと表示体との間で、アルミ押し出し中空型材からなり、上、下又はその両方に蝶ボルトなどに対する結合部材を挿通する結合凹腔を設けると共該凹腔から外方に蝶ボルト等の締結手段を挿通するスリットを開口してなる支持フレームを介してなるものであり、
さらに、該支持フレームとＬ字型パネルブラケットとの間に、支持フレームの外径に合わせたサポートを介挿し、両者を上記結合凹腔で蝶ボルトにより結合することによって長さ調節可能としたものであり、
ブースのパーティション上方空間に表示体を支持するために、
パネルブラケット上面に植設したスタッドに回動可能に嵌合するブラケットを介してステ−を蝶ボルトなどにより上下角を調節可能に締結固定可能とし、
さらに上記ステ−は、アルミ押し出し中空型材からなり、蝶ボルトなどに対する結合部材を挿通する結合凹腔を設けると共該凹腔から外方に蝶ボルト等の締結手段を挿通するスリットを開口してなり、ステ−をステ−外径に合わせたステ−サポート部材を介してブラケットに締結結合し、ステ−の長さ調節可能としたものである。
【０００６】
【発明の実施の形態】
本発明の、ブースと一体となった表示体は、最も簡単な構成では看板と同様の形態を有する表示パネルであるが、展示用ブースと一体に構成されることにより、それ自体が展示手段であるブースと共にその上方空間を表示スペースとして用いることにより、合わせてより広く、多様な表示効果を発揮することができる。特に、一般にブースにおける展示は、取り扱い製品などの具体物であり、対象とする顧客に取引上必要な詳細な情報を伝達する機能を求められるが、本発明におけるパーティション上方空間の表示は、これらの制約、若しくは性格を離れた自由な展示・表示を目指すことが可能であって、顧客に対する訴求力の向上効果は，両者相まって発揮されるのである。
【０００７】
さらに、これらの表示パネルの構造及びその展示ブースに対する固定構造において、部材の共通化を可能とする。
表示パネルを固定する枠体、支持フレーム及びステ−における結合凹腔は、アルミ押し出し型材として容易に成形されるが、その構造は表示パネルを固定する枠体においては表示パネル４辺の枠体同士を結合して表示パネルを収納する枠を形成するために機能し、また、表示体をブースの仕切りパネル上縁に固定する構造として、さらに複数の表示体を多角形に組合わせるための結合構造として機能し、支持フレームにおいてはこれらの表示体及び仕切りパネル上縁のパネルブラケットとの結合にそれぞれ機能し、またこれら支持フレーム及びステ−においてその長さ調節にも用いられるのであって、これらの各種／各様の必要に対してなんら変更を加えることなく機能することができる。
また、仕切りパネル上縁においてこれらに支持構造を結合するＬ字型のパネルブラケットやスタッドを介した結合構造は、規格化されて寸法、形状の多様なブースの要求に応じることを可能とすると共に、その組立などの作業性を向上するものであり、以下の説明で明らかになるように、基本的には蝶ボルトによる締結作業のみでブース構築が可能である。
【０００８】
【実施例】
本発明の表示体として表示パネルをブース上方空間に配置した実施例１の構成を、図１に示す。
展示ブース１は、仕切りパネル３を結合して３辺を囲うパーティション２からなり、必要により床５を設けてなる。
ブース内は、従来の展示ブースと同じく展示品や説明資料などを配置し、パーティション内壁を利用して、ラックを設けて展示スペースとして利用したり、内外壁面自体を説明図などの表示スペースとして利用する。また、パーティション前面には、必要により強度部材を兼ねた前面パネル６を設けて、展示ブースの企業名などを表示しても良い。
本発明の表示パネルによる表示体は、図２の断面図に示すように写真などを一面に配置した表示パネル４０を表示パネル枠４１内に収納固定した構造からなり、表示面の裏面からバネ性のある板材などからなる表示パネル押さえ４２をパネル押さえ嵌合部４３に押し込むことにより、表示パネルを裏面から、表示パネル枠前面に押圧して固定する。
表示パネル押さえは、パネル押さえ部の内側に突出した係合部にその一端を掛け止めされている構造であるから、表示パネルの交換時にはその係合を外すことにより容易に表示パネルの固定を開放することができる。
本発明の表示パネル枠は、押し出し型材からなり、枠体の表示裏面側から蝶ボルトを挿通して支持ブラケット４７などに容易に締結固定することができる。
【０００９】
その構造は、図２に示すように長手方向に沿って裏面側にスリット４５を開口した凹腔部４４からなる。
表示パネル枠の裏面側にその巾を狭めたスリットを開口することにより、図２下方に示すように蝶ボルト４６を挿通して該結合凹腔内に相通した蝶ボルトに対して螺合する結合材と仕切りパネル上縁等に固定された固定枠金具３５等との間で強固に締結固定することができる。更に、図示の例では、その凹腔底部隔壁を隔てて同様にスリット４９を開口する凹腔部４８を形成して、表示パネル枠の上下においてＬ字型枠結合部材４７を挿入し、ボルトで締結して４つの表示パネル枠を相互に固定している。
すなわち、本発明の表示パネル枠は、長手方向に沿って表示面裏面側にスリットを開口する結合凹腔を設け、更にその反対側にも同様にスリットを開口する結合凹腔を設け、適宜の結合個所にボルト孔を設けて表示体の取り付け固定及び表示パネル枠同士の固定組立を可能とするものであり、規格化された簡単な構成により表示体の組立とブースへの取付けを容易に行なうことができる。
【００１０】
図３〜４は、表示体とブースの仕切りパネル上縁とを結合固定する構造を示す。
パーティションの仕切りパネル３上部にはＬ字型のパネルブラケットＡ３１及びパネルブラケットＢ３２により表裏両側から挟持してスタッドボルト３３などにより締結する。
パネルブラケットＡ上にはＬ字型の枠固定金具３５の一辺を溶接又は同様にボルト結合で固着し、他辺を上記の結合構造により表示パネル枠に固定する。
【００１１】
図５は、実施例１と同様の表示パネルからなる表示体であるが、パネル巾がブースの巾よりも狭い場合の取り付け固定方法を示す実施例２で、図６はそのｂ−ｂ視線に沿った断面図である。
その表示パネル及び表示枠との固定方法は実施例１と同じであるが、ブースへの取付け固定には、支持フレーム７を介して行なう。
支持フレームは中空のアルミ押し出し型材からなり、図示のとおりその上下面にスリット７２を開口する結合凹腔７１を設けてあり、実施例１と同様に表示パネルを固定した固定金具３５を蝶ボルト４６によって締結固定する。
支持フレーム７とパーティションの仕切りパネルとの結合には、上記の実施例１において直接表示体を仕切りパネル上縁に固定した場合と同様に仕切りパネル上縁にパネルブラケットＡ及びパネルブラケットＢを固定し，これに対して支持フレームの上下いずれかの結合凹腔７１を介して蝶ボルト４６により締結固定すればよい。
なお、これらの表示パネルからなる表示体の取り付けにおいては、表示パネル枠の一辺のみで固定したが、表示パネルの高さが高い場合や屋外などで展示する場合など、強度が不足する場合には後述するステ−を用いた筋交い構造により、表示パネル枠上部と表示パネル上縁とを結合固定することにより十分な強度を確保することができる。
【００１２】
図７に支持フレーム７の伸縮構造を示す。
表示パネルを巾寸法の異なるブースに取り付けるには、表示パネルの支持フレームの長さをブースの巾に合わせて調節する必要があるが、支持フレームを固定する仕切りパネル上縁にパネルブラケットＡ、Ｂによってサポート７５を同じく蝶ボルトで固定し、該サポートを介して取り付けることにより、これらの寸法差を調節する。
図７において、その断面図Ｃに見るとおり、サポートの内径を支持フレーム外形に合わせて形成し、嵌合して支持フレームの前記結合凹腔に挿通する蝶ボルトにより締結結合すれば、サポートと支持フレームの長さの範囲で、ブース巾の差に応じた調整が可能となる。一般にこれらの小規模なブースの巾の差はさほど大きなものではないから、予め余裕を見込んで寸法取りしておけば、現場的な調整で十分であり、また、巾の広いブースに対する場合にも、押し出し型材として一貫して製造されるこれらの部材の長さは出荷時に調整できるから、格別の構造は必要としない。
【００１３】
図８は、ブース上方空間に表示パネルを４枚組合わせて４面パネルとした実施例３であり、図９はそのｃ−ｃ視線方向に沿って見た断面図である。
この場合、ブースの仕切りパネル上縁の表示パネル取付け構造は、上記の実施例２と同様の構造で、４面パネルの２辺に沿って支持フレームを配置すればよく、格別の構造は必要としない。
４面パネル自体も、図９に示すように各表示体の隣接する枠体をＬ字型パネル結合部材７６を介して蝶ボルトで結合凹腔部４４において内部に相通した結合部材との間で締結して結合することができる。
【００１４】
図１０は、ブース上方空間に発光体を内蔵した表示体４を設けた実施例４で、表示体は球状に限らず、適宜の形象を表すものでよい。
実施例４においては、表示体をブースに取り付ける構造は、バランス上ブースのパーティション上縁から更に上方において形象物等の固定台を支持する必要があり、このため仕切りパネル上縁から斜め上方に延長するステ−構造を必要とする。
安定性を保つには図１０に示すように仕切りパネルの四隅からステ−を延長することが好ましいが、必ずしもこのような形態に限定されない。
このステ−による表示体の支持においては、表示体の寸法や表示高さに応じてステ−の長さ及び仕切りパネル上縁の固定位置からの水平／垂直方向が調整可能であることが要求される。
【００１５】
図１１（Ａ）は、ステ−８の仕切りパネル上縁固定部の平面図であって、上述の例と同じくパネルブラケットＡ及びＢがスタッドボルト等で仕切りパネル３上縁に固定されており、パネルブラケットＡ上面には直立するスタッド３６が溶接などの固着手段により形成され、ステ−固定ブラケット８５の円筒状のスタッドガイド８６に該スタッドを挿通して水平面内で回動可能に支持する。
一方、ステ−８は外形が円筒形断面のアルミ押し出し型材からなり、図１１（Ｃ）に示すように外径方向にスリットを開口する結合凹腔７２をその長手軸方向に設けてなり、その両端でステ−外径に整合する内径のステ−サポート８１に嵌合し、結合凹腔に挿通する蝶ボルト等に対する結合部材と蝶ボルトによって締結結合される。
従って、前記の支持フレームの長さの調節機構と同様にしてステーとステ−サポートによりその長さを任意に調整することができる。
また、ステ−サポート端部は扁平に成型され、或いは扁平な固定金具を蝶ボルトで該結合凹腔により締結固定し、更にこれを蝶ボルト４６によりステ−固定ブラケット８５に締結固定し、その際に、スタッド廻りに水平方向に角度を調整すると共に上下方向に角度を調整することができる。
ステーと表示体支持台９との結合は、ステ−サポート８の端部扁平部若しくは図示のように結合凹腔においてボルトで締結された結合金具を介して表示体支持ブラケット９１に蝶ボルトなどによって固定する。
この場合、ステーと仕切りパネルとの結合と同様に、表示体支持台との結合においてもブラケットを支持台に垂直に植設したスタッドに回動自在に取り付けても良い。
またこのステ−による結合構造は、上述のように実施例１及び２などにおける筋交い補強構造として使用することができる。
【００１６】
以上の例はいずれも強固な結合構造により表示体をブースの仕切りパネル上縁に直接若しくは支持フレームなどを介して固定する構造であるが、ヘリウム風船などのようにブース上方にそれ自体で浮揚するものや強固な支持構造を必要としないものにあっては、上記のパネルブラケットＡ、Ｂを適宜の間隔で仕切りパネル上縁に配置し、各ブラケット間に張線又は軽量構造のフレームを格子状に配置して、取り付け手段とすることができる。
【００１７】
【発明の効果】
以上のように本発明は、展示ブースを従来にない表示空間を創出することによりその展示効果を向上し、また、表示パネル枠、支持フレーム及びステ−に採用した結合凹腔による締結固定構造は、押し出し型材の特徴を活かして、簡単な構造により、展示ブースの製造、組立を容易に行うことができ、かつ低廉なコストにより展示ブースの多様な表示効果を実現することができるものであって、工業製品として規格化した単純かつ量産に適した構造とすることにより、産業の発展に寄与するものである。
【図面の簡単な説明】
【図１】本発明において表示フレームをパーティション上縁に直接立設固定した実施例。（実施例１）
【図２】実施例１のａ−ａ視線方向断面図。
【図３】実施例１の表示フレーム固定方法を示した説明図（前面）。
【図４】実施例１の表示フレーム固定方法を示した説明図（側面）。
【図５】表示フレームをパーティション上縁に支持フレームを介して立設固定した実施例（実施例２）。
【図６】表示パネルを支持フレームを介して仕切りパネル上縁に結合固定する構造（実施例２）。
【図７】表示パネルを支持フレームを介して長さ調節可能に仕切りパネル上縁に結合固定する構造（実施例２）：（Ａ）側方部部断面図、（Ｂ）平面図、（Ｃ）断面図。
【図８】表示パネルを複数組合わせた４面パネルの支持構造（実施例３）。
【図９】表示パネルを複数組合わせた表示体同士の連結構造（実施例３）。
【図１０】形象物などを載置した支持台を結合固定するステ−による結合構造を示す（実施例４）。
【図１１】形象物などを載置した支持台を結合固定するステ−による結合構造細部（実施例４）：（Ａ）平面図、（Ｂ）表示パネルへの結合構造、（Ｃ）表示体支持台との結合構造。
【符号の説明】
１　ブース
２　パーティション
３　仕切りパネル
４　表示体
５　床
３１　パネルブラケットＡ
３２　パネルブラケットＢ
３３　スタッドボルト
３５　枠固定金具
３６　スタッド
４０　表示パネル
４１　表示パネル枠
４２　表示パネル押さえ
４３　　パネル押さえ嵌合部
４４　結合凹腔
４５　スリット
４６　　蝶ボルト
４７　　Ｌ字型枠結合部材
４８　　結合凹腔
４９　　スリット
６　前面パネル
７　支持フレーム
７１　結合凹腔
７２　　スリット
７５　　サポート
７６　Ｌ字型パネル結合部材
８　ステ−
８１　ステ−サポート
８５　　ステ−固定ブラケット
８６　　スタッド
８６　スタッドガイド
９　　　表示体支持台
９１　　支持台ブラケット
【図１】
2004068311.tif 000003
【図２】
2004068311.tif 000004
【図３】
2004068311.tif 000005
【図４】
2004068311.tif 000006
【図５】
2004068311.tif 000007
【図６】
2004068311.tif 000008
【図７】
2004068311.tif 000009
【図８】
2004068311.tif 000010
【図９】
2004068311.tif 000011
【図１０】
2004068311.tif 000012
【図１１】
2004068311.tif 000013